(57)【要約】【課題】  すっきりとした状態でテレビを隠蔽させて見栄え性が向上し、しかも良好にテレビを見ることができ、テレビの操作も良好に行える浴室の鏡設置構造を提供する。【解決手段】  浴室壁面１に施工されたテレビ１０，スイッチ類１１，１２を、表面に鏡面４，５，６を有する箱型形状の浴室鏡２内に隠蔽させ、テレビ１０の表面側の鏡面６を開閉可能に構成する。【選択図】  図２
2005211526.tif 000002
【特許請求の範囲】
【請求項１】
浴室壁面に施工されたテレビ，スイッチ類等の設備部材を、表面に鏡面を有する箱型形状の浴室鏡内に隠蔽させ、前記設備部材の表面側の前記鏡面を開閉可能に構成したことを特徴とする浴室の鏡設置構造。
【請求項２】
前記設備部材を隠蔽させた空間の下面が開放されているとともに、前記開閉可能な鏡面がハーフミラー性能を施してあることを特徴とする請求項１に記載の浴室の鏡設置構造。
【請求項３】
表面にハーフミラーを有する浴室鏡内にテレビを隠蔽させ、前記ハーフミラーの裏面と前記テレビの画面周り間を水密に防水処理するとともに、前記浴室鏡の下側に開口部を設けて、該開口部から少なくとも前記テレビに設けられた音声出力部，操作部，赤外線受光部の何れかをはみ出させたことを特徴とする浴室の鏡設置構造。
【請求項４】
表面にハーフミラーを有する浴室鏡内にテレビを隠蔽させ、前記ハーフミラーの裏面と前記テレビの画面周り間を水密に連通する防水ガイド部材を設けたことを特徴とする浴室の鏡設置構造。
【発明の詳細な説明】
【技術分野】
【０００１】
本発明は、浴室における鏡の設置構造に関するものである。
【背景技術】
【０００２】
従来、特許文献１に開示されているように、浴室に設けられたハーフミラーの裏にテレビを隠蔽した構造のものが存在する。
【特許文献１】特開２００３−６１７９７号公報
【発明の開示】
【発明が解決しようとする課題】
【０００３】
上記従来のようにハーフミラーの裏にテレビを隠蔽しても、ハーフミラーが曇り易く、快適にテレビを見ることができない場合が生ずるという問題点があった。
また、テレビを赤外線リモコンで操作する場合、ハーフミラーを信号が通り難いので、別経路で電送する必要があり、コストがかかってしまうという問題点があった。
また、従来構造では、テレビのスピーカーも隠蔽されるため、音が聞こえ難くなり、別途浴室内にアンプやスピーカーを設ける必要が生ずるという問題点があった。
【課題を解決するための手段】
【０００４】
本発明は上記従来の問題点に鑑み案出したものであって、すっきりとした状態でテレビ等を隠蔽させ、しかも良好にテレビを見ることができ、テレビの操作も良好に行うことのできる浴室の鏡設置構造を提供せんとするものであり、請求項１は、浴室壁面に施工されたテレビ，スイッチ類等の設備部材を、表面に鏡面を有する箱型形状の浴室鏡内に隠蔽させ、前記設備部材の表面側の前記鏡面を開閉可能に構成したことである。
【０００５】
また請求項２は、前記設備部材を隠蔽させた空間の下面が開放されているとともに、前記開閉可能な鏡面がハーフミラー性能を施してあることである。
【０００６】
また請求項３は、表面にハーフミラーを有する浴室鏡内にテレビを隠蔽させ、前記ハーフミラーの裏面と前記テレビの画面周り間を水密に防水処理するとともに、前記浴室鏡の下側に開口部を設けて、該開口部から少なくとも前記テレビに設けられた音声出力部，操作部，赤外線受光部の何れかをはみ出させたことである。
【０００７】
また請求項４は、表面にハーフミラーを有する浴室鏡内にテレビを隠蔽させ、前記ハーフミラーの裏面と前記テレビの画面周り間を水密に連通する防水ガイド部材を設けたことである。
【発明の効果】
【０００８】
本発明は、浴室壁面に施工されたテレビ，スイッチ類等の設備部材を、表面に鏡面を有する箱型形状の浴室鏡内に隠蔽させ、設備部材の表面側の鏡面を開閉可能に構成したことにより、テレビを使用しない時は、テレビを鏡面の裏側に隠すことができて見栄えが良く、テレビを使用する時は、鏡面を開けて直接テレビを見ることができるため、音声も良く聞こえ、ワイヤレスリモコンの操作も良好に行うことができ、ワイヤレスリモコンが操作できない場合は、テレビ本体の操作部を良好に操作することができるものとなる。
また、浴室内に点在する各種スイッチ類，リモコン等を見栄え良く浴室鏡内に隠蔽させて、すっきりとした設置状態の浴室鏡を構成することができる。
【０００９】
また、設備部材を隠蔽させた空間の下面が開放され、開閉可能な鏡面がハーフミラー性能を施してあることにより、ハーフミラーで構成された鏡面が曇っていない場合は、鏡面を閉めたままで良好にテレビを見ることができるものとなる。
また、鏡面を閉じた状態でも、隠蔽空間の下面が開放されているため、テレビの音声が良く聞こえるものとなる。
【００１０】
また、表面にハーフミラーを有する浴室鏡内にテレビを隠蔽させ、ハーフミラーの裏面とテレビの画面周り間を水密に防水処理し、浴室鏡の下側に開口部を設けて、開口部から少なくともテレビに設けられた音声出力部，操作部，赤外線受光部の何れかをはみ出させたことにより、ハーフミラーの裏にテレビをすっきりとした状態で隠蔽させ、その状態でテレビを見ることができ、テレビの画面は鏡の中に浮き出るようになり、外観が向上するものとなる。
また、ハーフミラーの裏側に回り込む湿気は、テレビの画面周りの防水処理によって、テレビの画面を曇らすことがなく、良好な状態でテレビを見ることができ、また音声出力部をはみ出して設置することで、テレビの音も良く聞こえるものとなり、更にワイヤレスリモコンで良好に操作することができ、またワイヤレスリモコンが操作できない場合は、テレビ本体の操作部を良好に操作することができるものとなる。
【００１１】
また、表面にハーフミラーを有する浴室鏡内にテレビを隠蔽させ、ハーフミラーの裏面とテレビの画面周りを水密に連通する防水ガイド部材を設けたことにより、テレビの下部の音声出力部，操作部等をハーフミラーの裏に隠蔽させて、極めてすっきりとした外観を得ることができ、ハーフミラーの裏側に回り込む湿気は、防水ガイド部材によって防がれて、テレビの画面が曇ることはなく、良好にテレビを見ることができ、しかもハーフミラーの裏面とテレビの間に防水ガイド部材の厚み分の空間が確保できるため、テレビの下部をハーフミラーからはみ出させなくても音声が良く聞こえ、ワイヤレスリモコンの操作も良好に行うことができ、ワイヤレスリモコンが操作できない場合は、テレビの操作部を良好に操作することができるものとなる。
【実施例】
【００１２】
以下、本発明の実施例を図面に基づいて説明する。
図１は、浴室の壁面に突出状に箱型の浴室鏡を設置した状態の斜視構成図であり、図２は、内部にテレビ等を隠蔽させた状態を示す斜視構成図である。
浴室壁面１には、テレビ１０や、例えばジェットバスの操作スイッチ１１，浴槽水中照明用の操作スイッチ１２等の設備部材が固定状に設置され、横長状の箱型に形成された箱体３で構成される浴室鏡２を、浴室壁面１に突出状に後付けして、この箱体３内の隠蔽空間７内に、壁面１に設置されたテレビ１０，操作スイッチ１１，１２を隠蔽させることができるものである。
【００１３】
箱体３の前面には、左鏡面４と右鏡面５が左右に固定状に設けられ、中央側の隠蔽空間７の前面には、横方向へアーム６ａを介し開閉できる可動ハーフミラー６が設けられ、この可動ハーフミラー６を閉じた図１の状態では、その裏側にテレビ１０，操作スイッチ１１，１２が隠されて、極めてすっきりとした外観の浴室鏡２を構成することとなる。
なお、本例の浴室鏡２には、シャワーヘッド９を収納するシャワーヘッド収納部８が一体形成されている。
また、前記隠蔽空間７の下面は開放された下面開口部７ａとなっている。
【００１４】
このような構造では、テレビ１０，操作スイッチ１１，１２を使用しない時には、可動ハーフミラー６を閉じた状態にしておき、すっきりとした状態でテレビ１０等を隠蔽させることができ、テレビ１０等を使用する場合には、可動ハーフミラー６を横方向へ開け、テレビ１０等を露出させて、良好にテレビを見ることができ、テレビの音声も良好に聞き取ることができ、しかもテレビの操作をリモコンで良好に行うことができ、また、直接テレビ１０の操作部を操作することもできるものとなる。
【００１５】
なお、可動ハーフミラー６はハーフミラー性能を有するものであるため、曇らない限りこの可動ハーフミラー６を閉じたままで良好にテレビ１０を見ることができ、テレビからの音声は下面開口部７ａから漏れ出して、良好に聞き取ることができるものとなる。
【００１６】
次に、図３の斜視図で、また図４の縦断面構成図で示す鏡設置構造においては、浴室壁面１に固定状に施工されたテレビ１０を、前面に固定状の左鏡面４と右鏡面５を備えた箱体３で隠蔽させるものである。
本例では、テレビ１０の画面１０ａの下部に一体で設けられている両側のスピーカー１０ｂ，１０ｂ，操作スイッチ１０ｃ，リモコン受光部１０ｄを、隠蔽空間７の下面開口部７ａの下方へはみ出した状態にしたものであり、スピーカー１０ｂ，操作スイッチ１０ｃ，リモコン受光部１０ｄのみが露出した状態となって、左鏡面４の裏側にテレビ１０の画面１０ａが隠蔽されるものである。
【００１７】
なお、左鏡面４はハーフミラーで構成されており、この左鏡面４の裏面とテレビ１０の画面１０ａの周り間には、四角リング状のパッキン１３が嵌め込まれて、テレビの画面１０ａの周りを水密に防水処理したものとなっている。
このような構成では、ハーフミラーで構成された左鏡面４の裏側に回り込む湿気は、テレビ画面１０ａ周りに設けられたパッキン１３によって防がれ、テレビ画面１０ａが曇ることがなく、テレビ画面１０ａを左鏡面４内に浮き出るようにして見ることができるものとなり、外観が極めてすっきりとしたものとなる。
【００１８】
また、スピーカー１０ｂは浴室鏡２の下部に露出しているため、音声が良く聞こえるものとなり、ワイヤレスリモコンからの信号は露出しているリモコン受光部１０ｄで受光され、リモコンで良好にテレビを操作することができるものとなる。
また、ワイヤレスリモコンが操作できない場合は、露出している操作スイッチ１０ｃを直接操作してテレビの操作を良好に行うことができるものとなる。
【００１９】
次に、図５及び図６の斜視図で示す鏡設置構造では、浴室壁面１に固定状に施工されたテレビ１０を、浴室鏡２の箱体３内の隠蔽空間７内に隠蔽させることができ、この隠蔽空間７の前面に開き扉状に開閉ハーフミラー６を設けたものである。
なお、箱体３の左右側の前面には、固定状に防曇ミラーで構成された左鏡面４と右鏡面５が設けられている。また、隠蔽空間７の右側方には、複数の棚板を備えた棚空間１４が形成されており、この棚空間１４の前面にも開閉可能に扉１５が設けられている。
【００２０】
本例における開閉ハーフミラー６は、図６の裏側からの斜視図で示すように、裏面には、テレビ１０の画面１０ａの外周を囲む四角形状のパッキン１３が設けられており、このパッキン１３の下部は凹み状に下方側へ開放された下部開放部６ｄとなっている。
なお、この開閉ハーフミラー６は、表面にアクリル板６ａが、その裏側にハーフミラーフィルム６ｂが、その裏側にバックアップ補強板６ｃが設けられて、三層構造に形成されており、幅方向一端側には軸６ｅが設けられて、この軸６ｅを介し開閉できるように構成されている。
【００２１】
開閉ハーフミラー６を閉じた状態では、パッキン１３がテレビ１０の画面の周りに当接し、テレビ１０の画面の曇りを良好に防ぐことができるように構成されている。
開閉ハーフミラー６を閉じることにより、テレビ１０が隠蔽されて極めてすっきりとした状態となり、この状態で開閉ハーフミラー６の裏側へ回り込む湿気は、良好にパッキン１３により防がれて、テレビ１０の画面が曇ることはなく、テレビ１０の画面が開閉ハーフミラー６の中に浮き出るような状態で、良好にテレビ１０を開閉ハーフミラー６を閉じたままで見ることができ、その時に、テレビの音声は良好に下部開放部６ｄを通して外側へ漏れるため、音声も良く聞こえるものとなる。
なお、開閉ハーフミラー６を開けた状態でも、テレビ１０を見ることができ、また開けた状態でリモコンによる操作、または直接手で操作することもできるものとなる。
【００２２】
次に、図７の分解斜視図で、また図８の縦断面図で示す鏡設置構造は、浴室壁面１からの突出幅の広い箱体３を用い、この箱体３内の隠蔽空間７内に、浴室壁面１に固定されたテレビ１０を入れて隠蔽させるものであり、箱体３の端面側には、照明ランプ１６が設けられ、この照明ランプ１６からの光を、箱体３内に設けられた反射板１７で反射させて、箱体３の上下面を光らせるように構成したものである。
また、箱体３の前面に設けられる左鏡面４はハーフミラーで構成されており、この左鏡面４の裏側とテレビ１０の画面間には、防水ガイド部材１８を設けて、この防水ガイド部材１８により、左鏡面４の裏面とテレビ１０の画面周りを水密に連通させるものである。
【００２３】
即ち、防水ガイド部材１８は、テレビ１０の画面周りに当接される四角形状のパッキン１８ｂと、左鏡面４の裏面に当接される四角形状のパッキン１８ｃ間に、裁頭四角錐状の本体部１８ａが設けられている。
従って、テレビ１０の画面周りにパッキン１８ｂを当接させて防水ガイド部材１８を設け、その防水ガイド部材１８のパッキン１８ｃに当接させて前面に左鏡面４を固定し、浴室鏡２を構成させることができ、テレビ１０は下部部位まで完全に箱体３の内部に隠蔽されて、極めてすっきりとした状態となり、しかも湿気等は防水ガイド部材１８のパッキン１８ｂ，１８ｃで防がれて、テレビ１０の画面が曇ることがなく、良好にハーフミラーで構成された左鏡面４を通してテレビ１０を見ることができるものとなる。
【００２４】
また、隠蔽空間７の下端は開放された下面開口部７ａとなっており、防水ガイド部材１８は前後方向に幅を有するものであるため、隠蔽空間７の下面開口部７ａの前後幅も相当の寸法を有しており、そのため、この下面開口部７ａから良好にテレビのスピーカー１０ｂの音声を外部に流すことができ、音声が良く聞こえるものとなる。
また、下面開口部７ａの下側からワイヤレスリモコンを操作して、リモコンの信号をテレビ１０のリモコン受光部１０ｄで良好に受光させることができ、また下面開口部７ａから手を入れてテレビ１０の操作スイッチを操作することもできるものとなり、テレビ１０の下部を下方側へはみ出させなくても、音声が良く聞こえ、ワイヤレスリモコンの操作も可能となり、また手で操作することも可能なものとなる。
【図面の簡単な説明】
【００２５】
【図１】テレビ等を内部に隠蔽させた浴室鏡の設置状態の斜視構成図である。
【図２】図１の浴室鏡の可動ハーフミラーを開けた状態の斜視構成図である。
【図３】別例を示し、テレビの下部部位をはみ出させてテレビを隠蔽させた浴室鏡の斜視構成図である。
【図４】図３の縦断面構成図である。
【図５】更に別例の開閉ハーフミラーを備えた浴室鏡の斜視構成図である。
【図６】図５の開閉ハーフミラーを裏面側から見た斜視構成図である。
【図７】更に別例の浴室鏡の分解斜視図である。
【図８】図７の縦断面構成図である。
【符号の説明】
【００２６】
１  浴室壁面
２  浴室鏡
３  箱体
４  左鏡面
５  右鏡面
６  可動ハーフミラー（開閉ハーフミラー）
６ａ  アクリル板
６ｂ  ハーフミラーフィルム
６ｄ  下部開放部
７  隠蔽空間
７ａ  下面開口部
８  シャワーヘッド収納部
１０  テレビ
１０ａ  画面
１０ｂ  スピーカー
１０ｃ  操作スイッチ
１０ｄ  リモコン受光部
１１，１２  操作スイッチ
１３  パッキン
１４  棚空間
１８  防水ガイド部材
１８ａ  本体部
１８ｂ，１８ｃ  パッキン
【図１】
2005211526.tif 000003
【図２】
2005211526.tif 000004
【図３】
2005211526.tif 000005
【図４】
2005211526.tif 000006
【図５】
2005211526.tif 000007
【図６】
2005211526.tif 000008
【図７】
2005211526.tif 000009
【図８】
2005211526.tif 000010